(57)【要約】      （修正有）【課題】大規模な商用化を行うことのできる養殖照明制御システムを提供する。【解決手段】養殖照明制御システムは、密閉養殖環境中に設けられた一列または複数列の照明器具１１と、インタフェースモジュール１２とを備え、各列の照明器具１１が通信線を介してインタフェースモジュール１１の第１端と接続し、各列の照明器具１１は１つまたは複数の照明器具１１を含み、各照明器具１１は緑色ＬＥＤ、青色ＬＥＤ及び白色ＬＥＤを含み、インタフェースモジュール１２の第２端が制御モジュール１３と接続する。インタフェースモジュール１２を介して一列または複数列の照明器具１１と接続し、各照明器具１１は異なる色のＬＥＤ粒子を含み、制御モジュール１３により照明器具１１の発光状態変化を自動制御する。【選択図】図１
2019024491.tif 000002
【特許請求の範囲】
【請求項１】
密閉養殖環境中に設けられた一列または複数列の照明器具と、インタフェースモジュールとを備え、
各列の照明器具が通信線を介してインタフェースモジュールの第１端と接続し、各列の照明器具は１つまたは複数の照明器具を含み、各照明器具は緑色ＬＥＤ、青色ＬＥＤ及び白色ＬＥＤを含み、
インタフェースモジュールの第２端が制御モジュールと接続する
養殖照明制御システム。
【請求項２】
前記インタフェースモジュールはＲＳ４８５インタフェースである
請求項１に記載の養殖照明制御システム。
【請求項３】
前記制御モジュールはプログラマブルロジックコントローラである
請求項１に記載の養殖照明制御システム。
【請求項４】
前記制御モジュールと接続し、ユーザ操作に基づいて前記制御モジュールに制御信号を送信するタッチパネルをさらに備える
請求項３に記載の養殖照明制御システム。
【請求項５】
前記タッチパネルおよび前記制御モジュールと接続し、前記タッチパネルおよび前記制御モジュールに電力を供給する電源モジュールをさらに備える
請求項４に記載の養殖照明制御システム。
【請求項６】
一端がＲＳ４８５インタフェースの第１端と接続し、他端がＲＳ４８５通信線を介して一列または複数列の照明器具と接続する接続線端子台をさらに備える
請求項２に記載の養殖照明制御システム。
【請求項７】
前記制御モジュールと接続し、制御モジュールが送信するアラート信号に基づいてアラートするアラートモジュールをさらに備える
請求項１に記載の養殖照明制御システム。
【請求項８】
前記密閉養殖環境中に設けられ、通信線を介してインタフェースモジュールの第１端と接続し、前記密閉養殖環境中の照度、スペクトル、温度および湿度情報のうちの１つまたは複数を収集し、前記インタフェースモジュールを介して前記制御モジュールに送信する照度計、分光器、温度センサおよび湿度センサのうちの１つまたは複数をさらに備える
請求項１に記載の養殖照明制御システム。
【請求項９】
請求項１〜８のいずれか１項に記載の養殖照明制御システムの制御モジュールに適用される養殖照明制御方法であって、
ユーザが入力したモード切替信号を取得し、
前記モード切替信号に基づいて、第１モードと第２モードとの間で切替えるように前記照明器具を制御し、
前記第１モードにおいて、白色ＬＥＤは発光せず、緑色ＬＥＤおよび青色ＬＥＤは発光し、
前記第２モードにおいて、緑色ＬＥＤおよび青色ＬＥＤは発光せず、白色ＬＥＤは発光する
養殖照明制御方法。
【請求項１０】
前記第１モードは養殖モードであり、前記第２モードは清掃モードである
請求項９に記載の養殖照明制御方法。
【請求項１１】
さらに、前記養殖モードにおいて、養殖サイクルに基づいて各照明器具内の緑色ＬＥＤと青色ＬＥＤの発光比率を制御する
請求項１０に記載の養殖照明制御方法。
【請求項１２】
さらに、ユーザが入力した輝度調節信号を受信し、
前記輝度調節信号に基づいて、対応する照明器具の発光強度を調節する
請求項９または１０に記載の養殖照明制御方法。
【請求項１３】
さらに、前記清掃モードにおいて、照明器具のアドレスに基づいて照明器具に制御命令を送信し、前記照明器具を逐次点灯する
請求項１０に記載の養殖照明制御方法。
【請求項１４】
さらに、照明器具からフィードバックされた故障信号を受信し、
前記故障信号に基づいて、アラートモジュールにアラート信号を送信する
請求項９または１０に記載の養殖照明制御方法。
【請求項１５】
さらに、前記故障信号に基づいて、タッチパネルに表示制御信号を送信し、前記タッチパネルに故障照明器具の位置情報及び故障情報のうちの１つ又は複数を表示するように制御する
請求項１４に記載の養殖照明制御方法。
【請求項１６】
コンピュータプログラム命令を記憶し、プロセッサにより実行されると、請求項１０〜１５のいずれか１項に記載の養殖照明制御方法を実現する
不揮発性のコンピュータ読み取り可能な記憶媒体。
【発明の詳細な説明】
【技術分野】
【０００１】
本開示は養殖技術分野に関し、特に養殖照明制御システムおよび養殖照明制御方法に関する。
【背景技術】
【０００２】
光照射は家禽の成長、発育過程において重要な環境条件の一つであり、異なる色温度の光線は家禽の成長、発育に極めて重要な作用を起こし、ユーザの養殖環境光照射制御に対するニーズが高まっている。従って、養殖照明器具、制御システムおよび制御方法に対するニーズがいずれもより高まっている。
【発明の概要】
【発明が解決しようとする課題】
【０００３】
現在の養鶏場照明制御システムはタイマースイッチまたは０−１０Ｖ調光制御システムであり、自動化した照明制御を実現できず、大規模な商用化を行うことができない。
【０００４】
これに鑑みて、本開示は、自動化した照明制御を実現するとともに、大規模な商用化を行うことのできる養殖照明制御システムおよび方法を提供する。
【課題を解決するための手段】
【０００５】
本開示の一観点によると、養殖照明制御システムを提供し、当該システムは、密閉養殖環境中に設けられた一列または複数列の照明器具と、インタフェースモジュールとを備え、各列の照明器具が通信線を介してインタフェースモジュールの第１端と接続し、各列の照明器具は１つまたは複数の照明器具を含み、各照明器具は緑色ＬＥＤ、青色ＬＥＤ及び白色ＬＥＤを含み、インタフェースモジュールの第２端が制御モジュールと接続する。
【０００６】
実現可能な方法において、前記インタフェースモジュールはＲＳ４８５インタフェースである。
【０００７】
実現可能な方法において、前記制御モジュールはプログラマブルロジックコントローラである。
【０００８】
実現可能な方法において、前記システムは、前記制御モジュールと接続し、ユーザ操作に基づいて前記制御モジュールに制御信号を送信するタッチパネルをさらに備える。
【０００９】
実現可能な方法において、前記システムは、前記タッチパネルおよび前記制御モジュールと接続し、前記タッチパネルおよび前記制御モジュールに電力を供給する電源モジュールをさらに備える。
【００１０】
実現可能な方法において、前記システムは、一端がＲＳ４８５インタフェースの第１端と接続し、他端がＲＳ４８５通信線を介して一列または複数列の照明器具と接続する接続線端子をさらに備える。
【００１１】
実現可能な方法において、前記システムは、前記制御モジュールと接続し、制御モジュールが送信するアラート信号に基づいてアラートするアラートモジュールをさらに備える。
【００１２】
実現可能な方法において、前記システムは、前記密閉養殖環境中に設けられ、通信線を介してインタフェースモジュールの第１端と接続し、前記密閉養殖環境中の照度、スペクトル、温度および湿度情報のうちの１つまたは複数を収集し、前記インタフェースモジュールを介して前記制御モジュールに送信する照度計、分光器、温度センサおよび湿度センサのうちの１つまたは複数をさらに備える。
【００１３】
本開示の他の一観点によると、養殖照明制御方法を提供し、前記方法は上述の養殖照明制御システム中の制御モジュールに応用され、前記方法は、ユーザが入力したモード切替信号を取得し、前記モード切替信号に基づいて、第１モードと第２モードとの間で切替えるように前記照明器具を制御し、ここで、前記第１モードにおいて、緑色ＬＥＤと青色ＬＥＤは発光し、白色ＬＥＤは発光せず、前記第２モードにおいて、白色ＬＥＤは発光し、緑色ＬＥＤと青色ＬＥＤは発光しない。
【００１４】
実現可能な方法において、前記第１モードは養殖モードであり、前記第２モードは清掃モードである。
【００１５】
実現可能な方法において、前記方法は、さらに、前記養殖モードにおいて、養殖サイクルに基づいて各照明器具内の緑色ＬＥＤと青色ＬＥＤの発光比率を制御する。
【００１６】
実現可能な方法において、さらに、ユーザが入力した輝度調節信号を受信し、前記輝度調節信号に基づいて、対応する照明器具の発光強度を調節する。
【００１７】
実現可能な方法において、前記方法は、さらに、前記清掃モードにおいて、照明器具のアドレスに基づいて照明器具に制御命令を送信し、前記照明器具を逐次点灯する。
【００１８】
実現可能な方法において、前記方法は、さらに、照明器具からフィードバックされた故障信号を受信し、前記故障信号に基づいて、アラートモジュールにアラート信号を送信する。
【００１９】
実現可能な方法において、前記方法は、さらに、前記故障信号に基づいて、前記タッチパネルに表示制御信号を送信し、前記タッチパネルに故障照明器具の位置情報及び故障情報のうちの１つ又は複数を表示するように制御する。
【００２０】
本開示の他の一観点によると、不揮発性コンピュータ読み取り可能な記憶媒体を提供し、ここでコンピュータプログラム命令が記憶され、前記コンピュータプログラム命令がプロセッサにより実行される時に上述の方法が実現される。
【発明の効果】
【００２１】
インタフェースモジュールを介して一列または複数列の照明器具と接続し、各照明器具は異なる色のＬＥＤ粒子を有し、制御モジュールにより照明器具の発光状態変化を自動制御する。本開示の養殖照明制御システムおよび方法によると自動化した照明制御を実現でき、大規模な商用化を行うことができる。
【図面の簡単な説明】
【００２２】
以下、図面を参照し模式的な実施例の詳細を説明し、本開示の他の特徴および観点を明確にする。
【００２３】
明細書に含まれかつ明細書の一部を構成する図面は明細書とともに本開示の例示的な実施例、特徴および観点を示し、本開示の原理を説明するためのものである。
【図１】図１は本開示の一実施例による養殖照明制御システムを示す図である。
【図２Ａ】図２Ａは本開示の一実施例による養殖照明制御システム応用シーンを示す第一の図である。
【図２Ｂ】図２Ｂは本開示の一実施例による養殖照明制御システム応用シーンを示す第二の図である。
【図３】図３は本開示の一実施例による養殖照明制御システムを示す図である。
【図４】図４は本開示の一実施例によるタッチパネルにより輝度を調節するインタフェースを示す図である。
【発明を実施するための形態】
【００２４】
以下、図面を参照して本開示の例示的な各実施例、特徴および観点を詳細に説明する。図面において同じ符号は機能が同じまたは類似する要素を示す。図面において実施例の各観点を示すが、特に指示しない限り、縮尺どおりに描く必要はない。
【００２５】
ここで「例示的」という用語は「例、実施例または説明的に用いられる」ことを意味する。ここで「例示的」として説明される如何なる実施例も他の実施例よりも好ましいまたは有利なものとして解釈されるべきではない。
【００２６】
また、本開示をより良く説明するために、下記の具体的な実施の態様において多くの具体的な詳細を示す。当業者は、これら具体的な詳細に関わらず、本開示は同様に実施可能であると理解すべきである。一部の実施例において、本開示の趣旨を明確にするために、当業者にとって周知の方法、手段、要素および回路について詳細な説明は行わない。
【００２７】
（実施例１）
図１は本開示の一実施例による養殖照明制御システムを示す図であり、当該照明制御システムは密閉された養殖環境中に応用でき、密閉された養殖環境とは不透光の養殖環境を指し、密閉環境において白羽鶏、固始鶏などのブロイラーを養殖でき、他の遮光が必要な動物または植物を養殖してもよい。
【００２８】
図１に示されるように、当該システムは、密閉養殖環境に設けられた一列または複数列の照明器具１１、インタフェースモジュール１２を含む。
【００２９】
各列の照明器具１１は通信線を介してインタフェースモジュール１２の第１端と接続し、各列の照明器具１１は１つまたは複数の照明器具を含み、各照明器具は緑色ＬＥＤ（Ｌｉｇｈｔ  Ｅｍｉｔｔｉｎｇ  Ｄｉｏｄｅ）、青色ＬＥＤおよび白色ＬＥＤを含み、インタフェースモジュール１２の第２端は制御モジュール１３と接続する。
【００３０】
実現可能な方法において、前記インタフェースモジュール１２はＲＳ４８５インタフェースであり、当業者にとって，前記インタフェースモジュール１２は他のシリアル通信インタフェース、例えばＲＳ４２２、ＲＳ２３２などでもよいと理解できる。
【００３１】
制御モジュール１３と照明器具とはＭｏｄｂｕｓプロトコルにより通信でき、例えば、制御モジュール１３は各照明器具のアドレスに基づいてそれに命令（例えば、クエリ命令、制御号令など）を送信でき，照明器具のアドレスを照会し、または当該照明器具の発光状態などを制御し、制御モジュール１３はさらに照明器具が送信するメッセージを受信でき、メッセージ中の機器アドレス、機能コードなどに基づいて対応する操作、例えば、故障表示、アラートなどを実行できる。具体的なプロトコル内容として、当業者は実際の必要に応じて定義でき、本開示はこれに限定されない。
【００３２】
インタフェースモジュール１２がＲＳ４８５である例として、一列の照明器具１１が複数の照明器具を含む場合、各照明器具はハンドシェイクのＲＳ４８５接続を採用でき、直接並列接続の方法を採用することもできるが、本開示はこれに限定されない。
【００３３】
なお、照明器具はＲＳ４８５インタフェースに対応するＲＳ４８５変換回路を含み、照明器具は制御モジュール１３が送信した命令を受信した後、ＲＳ４８５変換回路により命令をＭＣＵ（Ｍｉｃｒｏｃｏｎｔｒｏｌｌｅｒ  Ｕｎｉｔ）のシリアルポート指令に変換することにより、シリアルポート指令に基づいて灯具を制御し対応する光照射を行わせる。
【００３４】
養殖形式または養殖空間の大きさの違いにより、前記システムは一列または複数の照明器具を含む。具体的には、白羽鶏を例にすると、当該システムは平飼い方式に応用でき、ケージ飼い方式に応用することもできる。
【００３５】
図２Ａおよび図２Ｂはそれぞれ本開示の一実施例による養殖照明制御システム応用シーンを示す図である。
【００３６】
図２Ａに示されるように平飼い方式に応用する時、各列の照明器具は鶏舎の上部、例えば鶏舎の屋根に設けられる。平飼い鶏舎の大きさに応じて平飼い鶏舎中に一列または複数列の照明器具１１を設けることができ、平飼い鶏舎の大きさに応じて平飼い鶏舎中に各列の照明器具を接続する照明器具数を設けることもでき、例えば、平飼いモードでは、本開示の養殖照明制御システムは１９８個の照明器具を接続する。本開示はこれに限定されない。
【００３７】
図２Ｂに示されるようにケージ飼い方式に応用する時、図２Ｂ中の四角形はバードケージ１４を示し、照明器具はバードケージの屋根に設けられ、バードケージの大きさに応じて各バードケージ中に一列または複数列の照明器具を設けることができ、バードケージの数に応じて各列の照明器具を接続する照明器具数を設けることもでき、本開示はこれに限定されない。
【００３８】
ＲＳ４８５インタフェースについて、１ケージ飼い方式では最大９５０４個の照明器具を接続できるので、本開示の養殖照明制御システムは大型の養殖環境中に応用でき、大規模な商用化が可能である。
【００３９】
実現可能な方法において、各照明器具は緑色ＬＥＤ、青色ＬＥＤおよび白色ＬＥＤを含む。異なる色のＬＥＤは異なる回路中に接続でき、同じ色のＬＥＤは同じ回路中に接続でき、異なる回路中に接続することもできる。例えば、すべての緑色ＬＥＤを同一の回路中に接続し、すべての青色ＬＥＤを同一の回路中に接続し、すべての白色ＬＥＤを同一の回路中に接続するとともに、緑色ＬＥＤ、青色ＬＥＤおよび白色ＬＥＤをいずれも異なる回路に配置する。これにより異なる色のＬＥＤに対する単独制御を実現でき、異なる色のＬＥＤ発光状態は他の色のＬＥＤの影響を受けない。これにより、養殖サイクル中のスペクトルに対する要求に応じて異なる色のＬＥＤの発光状態を調整する。
【００４０】
実現可能な方法において、前記制御モジュール１３はＰＬＣ（Ｐｒｏｇｒａｍｍａｂｌｅ  Ｌｏｇｉｃ  Ｃｏｎｔｒｏｌｌｅｒ）でもよく、技術者は養殖サイクルに基づいて対応する操作命令を編集しＰＬＣ中に格納することができ、プログラム起動後、ＰＬＣはＭｏｄｂｕｓプロトコルに基づいて命令、例えばクエリ命令、ブロード制御命令などを出力し、照明器具の発光状態を照会または制御する。ＰＬＣは照明器具がフィードバックまたは送信するメッセージを受信し、受信したメッセージに基づいて照明器具の位置情報などを取得することもできる。
【００４１】
インタフェースモジュールを介して一列または複数列の照明器具と接続し、各照明器具は異なる色のＬＥＤ粒子を含み、制御モジュールにより照明器具の発光状態変化を自動制御する。本開示の養殖照明制御システムによると自動化した照明制御を実現でき、大規模な商用化を行う。
【００４２】
図３は本開示の一実施例による養殖照明制御システムを示す図であり、図３に示されるように、実現可能な方法において、当該システム、さらにタッチパネル１５を含み、前記タッチパネル１５は前記制御モジュール１３と接続し、ユーザ操作に基づいて前記制御モジュール１３に制御信号を送信する。
【００４３】
例を挙げると、タッチパネル１５はＬＣＤ（Ｌｉｑｕｉｄ  Ｃｒｙｓｔａｌ  Ｄｉｓｐｌａｙ、液晶ディスプレイ）タッチパネル、ＬＥＤタッチパネルなどである。タッチパネル１５は操作ボタン（例えば養殖モードスタート、一時停止、ストップ、清掃モードスタート、一時停止、輝度調節など）を表示し、ユーザは指、スタイラスなどにより前記操作ボタンを操作し、タッチパネル１５はユーザの操作に基づいて制御モジュール１３に制御信号を送信する。例えば、ユーザが指により養殖モードスタートボタンにタッチし、タッチパネル１５がユーザタッチを検出した後、制御モジュール１３に制御信号を送信し、制御モジュール１３が制御信号を受信した後、記憶したプログラムに基づいて、インタフェースモジュール１２を介して照明器具に制御命令を送信し、照明器具の発光状態を制御する。
【００４４】
実現可能な方法において、制御モジュール１３は、さらにユーザが入力したモード切替信号を取得し前記モード切替信号に基づいて第１モードと第２モードとの間で切替えるように前記照明器具を制御することができ、ここで、第１モードにおいて、緑色ＬＥＤと青色ＬＥＤは発光し、白色ＬＥＤは発光せず、第２モードにおいて、白色ＬＥＤは発光し、緑色ＬＥＤと青色ＬＥＤは発光しない。
【００４５】
ここで、前記第１モードは養殖モードであり、前記第２モードは清掃モードである。養殖モードはブロイラー養殖モードであるが、他の鳥類または植物などの養殖モードでもよく、本開示はこれに限定されない。
【００４６】
ユーザが指により切替モードボタンにタッチし、タッチパネル１５がユーザタッチを検出した後、制御モジュール１３にモード切替信号を送信する。制御モジュール１３がモード切替信号を受信した後、モード切替信号に基づいて、インタフェースモジュール１２を介して照明器具に制御命令を送信し、照明器具を制御して対応するモードに切替える。例えば、隣接する２つの養殖サイクルの中間間隔または養殖サイクル過程において、鶏舎を消毒するおよび衛生上清掃する必要があり、この時の光照射について養殖モードを継続使用する光照射は適さず、ユーザが清掃モードスタートボタンにタッチして、タッチパネル１５が制御モジュール１３にモード切替信号を送信し、制御モジュール１３が照明器具に制御命令を送信し、照明器具を制御して清掃モードに切替え、清掃モードにおいて、白色ＬＥＤは発光し、緑色ＬＥＤと青色ＬＥＤは発光しない。この時、養殖環境中で使用されるのは一般照明の白色光照射であり、光照射条件は養殖作業員が鶏舎に入って清掃を行うことに適する。
【００４７】
このように、照明器具を異なる動作モードに調節することで、異なる作業モードでの光照射に対する異なるニーズを提供し、ユーザ体験を提供する。
【００４８】
実現可能な方法において、制御モジュール１３は、さらに、養殖モードにおいて、養殖サイクルに基づいて各照明器具内の緑色ＬＥＤと青色ＬＥＤの発光比率を制御する。
【００４９】
具体的には、ブロイラー養殖を例にすると、異なるブロイラー品種の養殖サイクルが異なるだけでなく、１つの養殖サイクル内の異なる段階（例えば、育雛期、育成期、肥育期など）の光照射条件に対する要求も異なり、例えば、異なる段階のスペクトル、例えば緑色光と青色光の比率、または光照射強度に対する要求が異なる。従って、ＰＬＣを例にすると、技術者は養殖サイクルに基づいて対応する操作命令を編集しＰＬＣ中に格納することができ、プログラム起動後、ブロード制御命令を出力し照明器具ある異なる段階の発光状態（例えば、スペクトル、強度など）で制御し，ブロイラーが成長する異なる時期にそれに異なるスペクトルの光を照射し、自動化した照明制御を実現できる。成長サイクルが不変という前提条件において、ブロイラーの育成体重増加、成長率の改善という目的を達成する。
【００５０】
実現可能な方法において、制御モジュール１３は、さらに、清掃モードに切替える時、照明器具のアドレスに基づいて照明器具に制御命令号を送信し、前記照明器具を逐次点灯する。
【００５１】
上述したように、ユーザが清掃モードスタートボタンにタッチして、タッチパネル１５が制御モジュール１３にモード切替信号を送信し、システムの制御モジュール１３が照明器具のＭＡＣアドレス番号に基づいて、時間分割および／または空間分割で照明器具に制御命令を送信し、照明器具を逐次（あるいは、分割して）点灯する。このように、照明器具が点灯する瞬間の電流が過負荷トリップを引き起こさないことを保証し、養殖照明制御システムスタート時の給電回線の安全かつ安定した稼働を保証する。
【００５２】
実現可能な方法において、制御モジュール１３は、さらに、ユーザが入力した輝度調節信号を受信し、前記輝度調節信号に基づいて対応する照明器具の発光強度を調節する。
【００５３】
ここで、輝度調節信号は照明器具識別子および調節した輝度情報などを含み、照明器具識別子は異なる照明器具を区分する如何なる識別子でもよく、例えば、数字、文字または数字と文字からなる配列などでもよい。
【００５４】
ブロイラーが成長する異なる時期にそれに異なる光照射強度の光を照射し、成長サイクルが不便という前提条件において、ブロイラーの育成体重増加、成長率の改善という目的を達成する。
【００５５】
図４は本開示の一実施例によるタッチパネルにより輝度を調節するインタフェースを示す図である。図４に示されるように、タッチパネル１５は異なる照明器具に対応する調節ボタンを表示することができ、さらに照明器具識別子（例えば、何列目、何個目）を表示することができ、ユーザは調節する照明器具を選択して、調節した輝度情報を入力する。タッチパネル１５はユーザ操作に基づいて制御モジュール１３にユーザが入力する輝度調節信号を送信し、制御モジュール１３はユーザが入力した輝度調節信号を受信した後、輝度調節信号に基づいて対応する照明器具のアドレス情報を特定し、当該照明器具に制御命令を送信し、当該照明器具を制御して光強度を変更する。
【００５６】
図３に示されるように、実現可能な方法において、当該システムは、さらに、アラートモジュール１６を含み、前記アラートモジュール１６は前記制御モジュール１３と接続し、制御モジュール１３が送信するアラート信号に基づいてアラートを行う。
【００５７】
実現可能な方法において、アラートモジュール１６は音または光信号などの人に注意を促す信号を発することのできる装置であり、例えば、ブザー、スピーカーあるいはフラッシュなどでもよい。
【００５８】
照明器具が故障した時（例えば、ストロボスコピック、不点灯など）、インタフェースモジュール１２を介して制御モジュール１３にメッセージ（アラート信号）を送信し、ＲＳ４８５インタフェースモジュールを例にすると、照明器具はＭｏｄｂｕｓプロトコルに基づいて制御モジュールにメッセージを送信し、前記メッセージには照明器具の位置情報および故障情報が含まれる。制御モジュール１３は照明器具が送信したメッセージを受信し、メッセージ中の機器アドレス、機能コードなどに基づいて照明器具の位置情報および故障情報を取得し、故障情報に基づいてアラートモジュール１６にアラート信号を送信し、アラートモジュール１６はアラート信号を受信した後、アラートを行い、例えば、ブザー音を発して養殖作業員に注意を促すことなどができる。
【００５９】
このように、養殖作業員が適宜検査および修理を行い、養殖死亡率を低下させるように、照明器具が故障した時、適宜、養殖作業員に注意を促すことにより、養殖作業員の経済損失を減らす。
【００６０】
実現可能な方法において、制御モジュール１３は、さらに、前記故障信号に基づいて前記タッチパネル１５に表示制御信号を送信し、前記タッチパネル１５を制御して故障照明器具の位置情報および故障情報のうち１つまたは複数を表示する。
【００６１】
上述したように、照明器具が故障した時（例えば、ストロボスコピック、不点灯など）、インタフェースモジュール１２を介して制御モジュール１３にメッセージ（アラート信号）を送信し、前記メッセージには照明器具の位置情報および故障情報が含まれる。制御モジュール１３は照明器具が送信したメッセージを受信し、メッセージ中の機器アドレス、機能コードなどに基づいて照明器具の位置情報および故障情報を取得し、制御モジュール１３はタッチパネル１５に表示制御信号を送信し、タッチパネル１５を制御して故障照明器具の位置情報および故障情報などを表示する。
【００６２】
図３に示されるように、実現可能な方法において、当該システムは、さらに、電源モジュール１７を含み、前記電源モジュール１７はタッチパネル１５および制御モジュール１３と接続し、タッチパネル１５および制御モジュール１３に電力を供給する。
【００６３】
電源モジュール１７はＡＣ−ＤＣコンバーターでもよく、交流電流を適切な電圧信号に変換し、制御モジュールおよびタッチスクリーンに出力する。他の形式の電源でもよく、本開示はこれに限定されない。
【００６４】
図３に示されるように、実現可能な方法において、当該システムは、さらに、接続線端子台１８を含み、前記接続線端子台１８の一端はＲＳ４８５インタフェースの第１端と接続し、他端はＲＳ４８５通信線を介して一列または複数列の照明器具１１と接続する。接続線端子台１８は回線接続に役立ち、特に制御する照明器具の列数が比較的多い場合に役立つ。
【００６５】
実現可能な方法において、当該システムは、さらに、照度計、分光器、温度センサおよび湿度センサのうち１つまたは複数を含み、これらは前記密閉養殖環境中に設けられ、通信線を介してインタフェースモジュール１２の第１端と接続し、前記密閉養殖環境中の光照射、スペクトル、温度および湿度情報のうち１つまたは複数を収集し、前記インタフェースモジュール１２を介して前記制御モジュール１３に送信する。
【００６６】
照度計を例にすると、１つまたは複数の照度計を密閉養殖環境中に設けられ、例えば、平飼い鶏舎において底面寄りの位置に設けられ、ケージ飼い鶏舎においてはバードケージ１４中に設けられ、収集した照度情報を鶏が受けることのできる照度により近づけるのに役立つ。養殖過程において、照度計は底面またはバードケージ１４中の照度を収集し、通信線を介して、インタフェースモジュール１２を経てメッセージを制御モジュール１３に送信する。制御モジュール１３は受信したメッセージに基づいて照度計が検出した照度を取得し、検出した照度と養殖サイクルで現在必要な照度とを対比し、両者の差分値が一定の限界値を超えた場合、制御モジュール１３は照明器具に輝度調節命令を送信し、照明器具の発光輝度を調節する。機器デバッグ時、制御モジュール１３は照度計がフィードバックする検出結果に基づいて、プログラムの制御命令を調節し、実際の照度が養殖の要求に適合することを保証し、人工調節の時間およびコストを節約することもでき、かつ使用し易い。照会、対比の便宜のために、制御モジュール１３は養殖サイクルの各段階の標準照度情報を記憶することもできる。
【００６７】
複数の照度計を設ける場合、制御モジュール１３は照度計の位置情報に基づいて照度計周囲の照明器具の発光状態を調節することもできる。例えば、制御モジュール１３は受信したメッセージに基づいて照度計の位置情報を取得し、位置情報に基づいて周囲の照明器具のＭＡＣアドレスを照会することにより、照度計周囲に位置する照明器具に輝度調節命令を送信し、一部の照明器具の発光輝度を制御する。
【００６８】
同様に、分光器、温度センサまたは湿度センサに基づいて養殖環境中の照明器具の発光スペクトル、周囲温度および湿度などの情報を調節することもできる。具体的な調節方式について照度計に関する記載を参照し、繰り返し説明しない。
【００６９】
本開示はシステム、方法および／またはコンピュータプログラム製品でもよい。コンピュータプログラム製品はコンピュータ読み取り可能な記憶媒体を含み、プロセッサに本開示の各観点を実現させるためのコンピュータ読み取り可能プログラム命令をそれに記憶してもよい。
【００７０】
コンピュータ読み取り可能な記憶媒体は命令実行機器により用いられる命令を保持および記憶する有形機器でもよい。コンピュータ読み取り可能な記憶媒体は、これに限定されず、例えば、電気記憶機器、磁気記憶機器、光記憶機器、電磁記憶機器、半導体記憶機器または上述の任意の適切な組合せでもよい。コンピュータ読み取り可能な記憶媒体のより具体的な例（網羅的でないリスト）は、ポータブルコンピュータディスク、ハードディスク、ランダムアクセスメモリ（ＲＡＭ）、リードオンリーメモリ（ＲＯＭ）、消去可能プログラムリードオンリーメモリ（ＥＰＲＯＭあるいはフラッシュメモリ）、スタティックランダムアクセスメモリ（ＳＲＡＭ）、ポータブルコンパクトディスクＲＯＭ（ＣＤ−ＲＯＭ）、デジタル多機能ディスク（ＤＶＤ）、メモリースティック、フロッピーディスク、機械符号化機器を含み、例えばその上に命令を記憶している穴空きカードまたは溝内突起構造、および上述の任意の適切な組合せでもよい。ここで用いられるコンピュータ読み取り可能な記憶媒体は瞬時信号自体（例えば無線電波または他の伝搬自在な電磁波、波導または他の伝送媒体を介して伝搬される電磁波（例えば、光ファイバーケーブルを介する光パルス）、あるいは電線を介して伝送される電気信号）と解釈されない。
【００７１】
ここで記載されるコンピュータ読み取り可能プログラム命令はコンピュータ読み取り可能な記憶媒体から各コンピュータ／プロセッサにダウンロードされる、または、ネットワーク、例えばインターネット、ローカルエリアネットワーク、広域ネットワークおよび／または無線インターネットを介して外部コンピュータまたは外部記憶機器にダウンロードされる。ネットワークは銅伝送ケーブル、光ファイバー伝送、無線伝送、ルータ、ファイアウォール、交換機、ゲートウェイコンピュータおよび／またはエッジサーバを含む。各コンピュータ／プロセッサ中のネットワークインタフェースカードまたはネットワークインタフェースは、ネットワークからコンピュータ読み取り可能プログラム命令を受信し、当該コンピュータ読み取り可能プログラム命令を転送し、各コンピュータ／プロセッサ中のコンピュータ読み取り可能な記憶媒体中に記憶する。
【００７２】
本開示の操作を実行するためのコンピュータプログラム命令はアセンブラ命令、命令セットアーキテクチャ（ＩＳＡ）命令、機器命令、機器関連命令、マイクロコード、ファームウエア命令、状態設置データ、あるいは１種類または複数種類のプログラミング言語の任意の組み合わせにより編集するソースコードまたはオブジェクトコードでもよく、前記プログラミング言語はオブジェクト指向のプログラミング言語（例えばＳｍａｌｌｔａｌｋ、Ｃ＋＋など、および通常の手続き型プログラミング言語）例えば「Ｃ」言語または類似のプログラミング言語を含む。コンピュータ読み取り可能プログラム命令は、すべてユーザコンピュータ上で実行されてもよく、一部がユーザコンピュータ上で実行されてもよく、１つの独立したパッケージとして実行されてもよく、一部がユーザコンピュータ上で一部がリモートコンピュータ上で実行されてもよく、あるいはすべてリモートコンピュータまたはサーバー上で実行されてもよい。リモートコンピュータに関するケースにおいて、リモートコンピュータは任意の種類のネットワーク（ローカルエリアネットワーク（ＬＡＮ）または広域ネットワーク（ＷＡＮ）を含む）を介してユーザコンピュータと接続し、あるいは外部コンピュータと接続する（例えばインターネットサービスプロバイダを用いてインターネットを介して接続する）。ある実施例において、コンピュータ読み取り可能プログラム命令のステータス情報を用いて電子回路（例えばプログラマブルロジック回路、フィールドプログラマブルゲートアレイ（ＦＰＧＡ）またはプログラマブルロジックアレイ（ＰＬＡ））をカスタマイズし、当該電子回路はコンピュータ読み取り可能プログラム命令を実行でき、これにより本開示の各観点を実現する。
【００７３】
ここで、本開示の実施例による方法、装置（システム）およびコンピュータプログラム製品のフローチャートおよび／またはブロック図を参照して、本開示の各観点を説明する。フローチャートおよび／またはブロック図の各ブロックおよびフローチャートおよび／またはブロック図の各ブロックの組合せは、いずれもコンピュータ読み取り可能プログラム命令により実現されると理解すべきである。
【００７４】
これらのコンピュータ読み取り可能プログラム命令を汎用コンピュータ、専用コンピュータまたは他のプログラマブルデータ処理装置のプロセッサに供給することで、機器を生成することができ、これらの命令がコンピュータまたは他のプログラマブルデータ処理装置のプロセッサにより実行される時、フローチャートおよび／またはブロック図の１つまたは複数のブロック中で規定される機能／動作を実現する装置を生成する。  これらのコンピュータ読み取り可能プログラム命令をコンピュータ読み取り可能な記憶媒体中に記憶し、これらの命令がコンピュータ、プログラマブルデータ処理装置および／または他の装置を特定の方式で動作させることができ、これにより命令を記憶しているコンピュータ読み取り可能媒体は１つの製品を含み、それはフローチャートおよび／またはブロック図の１つまたは複数のブロック中で規定される機能／動作の各観点を実現する命令を含む。
【００７５】
コンピュータ読み取り可能プログラム命令をコンピュータ、他のプログラマブルデータ処理装置、または他の装置にロードし、コンピュータ、他のプログラマブルデータ処理装置または他の装置上で一連の操作ステップを実行させ、コンピュータが実現するプロセスを生成し、これによりコンピュータ、他のプログラマブルデータ処理装置または他の装置上で実行する命令にフローチャートおよび／またはブロック図の１つまたは複数のブロック中で規定される機能／動作を実現させる。
【００７６】
図中のフローチャートおよびブロック図は本開示の複数の実施例によるシステム、方法およびコンピュータプログラム製品の実現可能なアーキテクチャ、機能および操作を示す。この点で、フローチャートまたはブロック図中の各ブロックは１つのモジュール、プログラムセグメントまたは命令の一部を示し、前記モジュール、プログラムセグメントまたは命令の一部は１つまたは複数の所定の論理機能を実現するための実行可能な命令を含む。ある代替する実現において、ブロック中で表記される機能は図中で表記される順序と異なる順序で発生してもよい。例えば、２つの連続するブロックは実質的に略並行して実行され、これらは逆の順序で実行される場合もあり、これは関連する機能により定められる。なお、ブロック図および／またはフローチャート中の各ブロック、およびブロック図および／またはフローチャート中のブロックの組合せは、所定の機能または動作を実行するための専用のハードウェアによるシステムで実現され、あるいは、専用ハードウェアとコンピュータ命令の組合せにより実現される。
【００７７】
以上、本開示の各実施例を説明したが、上述の説明は例示的であり、網羅的ではなく、かつ開示された各実施例に限定されるものでもない。説明された各実施例の範囲及び趣旨を超えない場合、当業者にとって多くの修正および変更はいずれも自明である。本文で用いられる用語の選択は、各実施例の原理、実際の適用または市場における技術の技術改良を最適に説明するため、あるいは当業者が本文により開示される各実施例を理解するためのものである。
【符号の説明】
【００７８】
１１  一列の照明器具
１２  インタフェースモジュール
１３  制御モジュール
１４  バードケージ
１５  タッチパネル
１６  アラートモジュール
１７  電源モジュール
【図１】
2019024491.tif 000003
【図２Ａ】
2019024491.tif 000004
【図２Ｂ】
2019024491.tif 000005
【図３】
2019024491.tif 000006
【図４】
2019024491.tif 000007